(57)【要約】【課題】ランプ包装箱を使わずにランプを確実に固定できる方法を提供する。【解決手段】器具本体Ａと環状蛍光ランプＣ・Ｄ、及びセードＢで構成される環状蛍光灯器具の包装構造である。下部固定部材２、器具本体Ａ、セードＢ、上部固定部材３・９の順に包装箱１中に収納した時、下端が器具本体Ａの反射板顎部ａに当接しする。セードＢの中央穴ｄと上部固定部材３・９の開口穴２を貫通し、包装箱１内面に当接する円筒部材４・８を備える。上部固定部材３・９には環状蛍光灯ランプＣ・Ｄを載置した時、ランプＣ・Ｄの外側側面を嵌合係止する抜き穴２５を有する直立片２４、４４を形成する。ランプＣ・Ｄの上面を覆い、かつ前記円筒部材４・８の上端に設けた嵌合係止切欠き３１，６１に嵌入する嵌合部２８，４８が連接されたランプ固定片２７，４７が設ける。【選択図】    図１
2004155496.tif 000002
【特許請求の範囲】
【請求項１】
器具本体と環状蛍光ランプ、及びセードで構成される環状蛍光灯器具の包装構造において、下部固定部材、器具本体、セード、上部固定部材の順に包装箱中に収納した時、下端が器具本体の反射板顎部に当接し、セードの中央穴と上部固定部材の閉口穴を貫通し、包装箱内面に当接する円筒部材を備え、上部固定部材には環状蛍光灯ランプを載置した時、ランプの外側側面を嵌合係止する抜き穴を有する直立片と、ランプの上面を覆い、かつ前記円筒部材の上端に設けた嵌合係止切欠きに嵌入する嵌合部が連接されたランプ固定片が設けられていることを特徴とする環状蛍光灯器具の包装構造。
【請求項２】
上部固定部材に載置された環状蛍光灯ランプの外周に別の円筒部材を備え、上部固定部材にはランプの内側側面を嵌合係止する切欠きを有する直立片と、ランプ外周の円筒部材の上端に設けた嵌合係止切欠きに薮入する嵌合部が連接されたランプ固定片が設けられていること特徴とする請求項１記載の環状蛍光灯器具の包装構造。
【発明の詳細な説明】
【０００１】
【発明の属する技術分野】
本発明は環状蛍光灯器具の包装構造に関する。
【０００２】
【従来の技術】
従来の包装構造は、図７及び図８に示すように、下部固定部材２、器具本体Ａ、セードＢ、上部固定部材３の順に包装箱１中に収納した時、下端が器具本体Ａの反射板顎部効こ当接し、セードＢの中央穴Ｄを貫通して包装箱１内面に当接する円筒部材４を装着して器具本体Ａを固定する。
次に、環状蛍光灯ランプＣを中央に開口穴１０をあげた専用のランプ包装箱５に収納し、同じく中央に閉口穴１１をあげた上部固定部材３に載置して前記円筒部材４を貫通させ、ランプ包装箱５を粘着テープ６等で上部固定部材３に固定する。また、図９に示すように環状蛍光灯ランプの環径が小さく、円筒部材がランプを貫通できない場合は、ランプ包装箱７の外周に別の円筒部材８を装着し、ランプ包装箱７と円筒部材８を合わせて上部固定部材９に粘着テープ等６で固定する。
【０００３】
【発明が解決しようとする課題】
上記従来技術は、ランプを専用のランプ包装箱に収納するため材料費が増加する。さらに、ランプの種類によって変化する環径に合わせてランプ包装箱を用意する必要があるため、部品の管理が煩雑になる。
本発明の目的は、ランプ包装箱を使わずにランプを確実に固定できる方法を目的とする。
【０００４】
【課題を解決するための手段】
本発明の目的は次のようにして達成される。まず、器具本体を固定する円筒部材がランプの内側を貫通する場合は、上部固定部材にランプの外側側面を嵌合係止する抜き穴を有する直立片と、ランプの上面を覆い、かつ前記円筒部材の上端に設けた嵌合係止切欠きに薮入する嵌合部が連接されたランプ固定片を対称位置に形成する。
また、円筒部材がランプの内側を貫通しない場合は、ランプ外周に別の円筒部材を取付け、上部固定部材にランプの内側側面を嵌合係止する切欠きを有する直立片と、ランプの上面を覆い、かつランプ外周の別の円筒部材の上端に設けた嵌合係止切欠きに薮入する嵌合部が連接されたランプ固定片を対称位置に形成する。
ランプは上部固定部材に設けられた直立片に形成された抜き穴や切欠きによって、外側側面又は、内側側面で嵌合係止されて横方向の動揺が防止され、直立片に運設されてランプの上面を覆うランプ固定片によって上方向への飛び出しが防止される。また、ランプ固定片は先端に形成された嵌合部が、器具本体を固定する中央の円筒部材やランプ外周に取り付けた別の円筒部材の嵌合係止切欠きに嵌合し、かつ包装箱の内面で上方への抜けが防止されているので初期の形状が保たれ、確実に固定できる。
【０００５】
【発明の実施の形態】
本発明の実施形態を図１から図６により説明する。図１はランプ環径が大きい場合の上部固定部材の展開図、図２は同上部固定部材を用いた包装状態を示す部分斜視図、図３は同包装状態の断面図、図４はランプ票径が小さい場合の上部固定部材の展開図。図５は同上部固定部材を用いた包装状態を示す部分斜視図、図６は同包装状態の断面図である。
まず、ランプ環径が大きい場合について図１、図２及び図３で説明すると、図１に示す上部固定部材２０は周囲に立上げ片２１を備えた段ボールシートであり、中央部には図３で示す器具本体Ａを固定する円筒部材３０が貫通する関口穴２２が設けてある。この上部固定部材２０には、環状蛍光ランプＣを中央部に載置した時、環状蛍光ランプＣの外径より若干内側の位置で罫線２３によって直立する直立片２４を形成すると共に、この直立片２４には環状蛍光ランプＣの外側の側面を嵌合係止出来る抜き六２５が設けられている。さらに、直立片２４には罫線２６によってランプ固定片２７が運設されており、ランプ固定片２７の先端部は円筒部材３０の上部に設けられた嵌合係止切欠き３１に嵌合するくさび状の嵌合部２８が形成されている。このように形成された直立片とランプ固定片は、中央の閉口穴２２を挟んで対称に一対設けられている。以上の構成である上部固定部材２０を使って包装する場合、まず包装箱１に下部固定部材２を入れ、次に器具本体Ａを下部固定部材２に取付け、器具本体Ａの反射板顎部Ａに円筒部材３０を取り付ける。さらに、セードＢの中央穴Ｄに円筒部材３０を貫通させて入れ、上部固定部材２０の周囲の立ち上げ片２１を立上げて、中央の閉口穴２２に円筒部材３０を貫通させてセードＢの上にかぶせる。そして、環状蛍光灯ランプＣを上部固定部材２０の中央に載置し、直立片２４とランプ固定片２７をそれぞれの罫線２３、２４にしたがって折り曲げてランプを包囲し、ランプ固定片２７先端の嵌合部２８を円筒部材３０上端の嵌合係止切欠き３１に嵌合させランプを固定する。この時、ランプ固定片２７は円筒部材３０の上端で嵌合係止されると共に、包装箱１の内面で上方向への外れが防止されるので、ランプ固定片や直立片の形状は初期の状態に保たれ、ランプの固定が確実に行える。
一方、ランプ策径が小さい場合を図４、図５及び図６で説明すると、図４に示すように上部固定部材４０の直立片４４を直立させる罫線４３を環状蛍光灯ランプＤの内周から若干内側に位置させると共に、直立片４４の両側面に環状蛍光灯ランプＤを嵌合係止する切欠き４５を設ける。次に、図５、図６に示すようにランプ外周に別の円筒部材６０を取付け、その上端に設けた嵌合係止切欠き６１にランプ固定片４７先端の嵌合部４８を嵌合させてランプを固定することにより、ランプ策径が大きい場合と同様に効果を得ることが出来る。
【０００６】
【発明の効果】
本発明によれば、上部固定部材に形成した直立片と、直立片に連接したランプ固定片を中央の器具本体を固定する円筒部材や、ランプ外周に取り付けた別の円筒部材に嵌合させて環状蛍光灯ランプを確実に固定できるため、ランプ専用の包装箱が不要となり、それだけ安価になると共に、部品の管理も楽になる。
【図面の簡単な説明】
【図１】本発明に係るランプ環径が大きい場合の上部固定部材の展開図である。
【図２】同上部固定部材を用いた包装状態を示す部分斜視図である。
【図３】同包装状態の断面図である。
【図４】本発明に係るランプ環径が小さい場合の上部固定部材の展開図である。
【図５】同上部固定部材を用いた包装状態を示す部分斜視図である。
【図６】同包装状態の断面図である
【図７】ランプ環径が大きい場合の従来包装状態の断面図である。
【図８】ランプ環径が大きい場合の従来包装状態の斜視図である。
【図９】ランプ環径が小さい場合の従来包装状態の斜視図である。
【符号の説明】
Ａ：器具本体、Ｂ：セード、Ｃ、Ｄ：環状蛍光灯ランプ、Ａ：反射板顎部、Ｄ：中央穴、１：包装箱、２：下部固定部材、３、９、２０、４０：上部固定部材、４、８、３０、６０：円筒部材、６：粘着テープ、７：ランプ包装箱、１０，１１、２  ２：関口穴、２４、４４：直立片、２７，４７：ランプ固定片、２８，４８：嵌合部、２５：抜き穴、４５：切欠き、２３，２６，４３，４６：罫線、３１，６１：嵌合係止切欠き
【図１】
2004155496.tif 000003
【図２】
2004155496.tif 000004
【図３】
2004155496.tif 000005
【図４】
2004155496.tif 000006
【図５】
2004155496.tif 000007
【図６】
2004155496.tif 000008
【図７】
2004155496.tif 000009
【図８】
2004155496.tif 000010
【図９】
2004155496.tif 000011